(57)【特許請求の範囲】
【請求項１】
自動販売機の前面を開閉する前面扉に設けられる自動販売機のディスプレイ装置であって、
前記前面扉の前面に沿って設けられ、開口を有する取付枠と、
この取付枠の前記開口を塞ぐ透明なカバーと、
このカバーと前記前面扉の間に着脱自在に設けられたディスプレイと、
を備え、
前記取付枠は、前記開口を間にして互いに平行に形成された２つの溝と、これらの２つの溝の両端の間に延びるように形成され、当該取付枠の端部に開口するスリットと、を有し、
前記カバーは、前記２つの溝に沿ってそれぞれスライド可能で、かつ前記スリットから引出し自在に設けられ、前記取付枠の前記開口を開閉可能なカバー板であることを特徴とする自動販売機のディスプレイ装置。
【請求項２】
前記取付枠は、矩形で上下２つの横枠部と左右２つの縦枠部を有し、前記２つの溝は、前記上下２つの横枠部にそれぞれ形成され、前記スリットは、前記左右２つの縦枠部の一方に設けられており、前記カバー板には、前記スリットから引き出す側と反対側の端部に、前記一方の縦枠部により係止されるストッパが設けられていることを特徴とする請求項１に記載の自動販売機のディスプレイ装置。
【請求項３】
前面に前記ディスプレイが取り付けられた平板部とこの平板部の上端から前方に折り返した折返部とを有するパネルをさらに備えており、このパネルは、前記一方の縦枠部から前記他方の縦枠部まで前記前面扉の前面に沿って延び、前記パネルの前記折返部は、前記カバー板の上端部を前記平板部との間に挟み込むように、上側の前記横枠部の前記溝内に配置されていることを特徴とする請求項２に記載の自動販売機のディスプレイ装置。
【請求項４】
前記カバー板を、前記開口を閉じる閉位置に固定するロック機構をさらに備えることを特徴とする請求項２または３に記載の自動販売機のディスプレイ装置。
【請求項５】
前記ロック機構は、前記前面扉の閉操作に連動して前記カバー板を前記閉位置に固定することを特徴とする請求項４に記載の自動販売機のディスプレイ装置。
【発明の詳細な説明】
【０００１】
【発明の属する技術分野】
本発明は、自動販売機において、販売商品に関連する情報を表示するポスターなどのディスプレイを外部から視認可能に取り付けるための自動販売機のディスプレイ装置に関する。
【０００２】
【従来の技術】
従来、この種の自動販売機のディスプレイ装置として、図１３および図１４に示すものが知られている。両図に示すように、このディスプレイ装置９０では、自動販売機９１のメインドア９２の前面下部に、透明で大きなアクリル板９３が配置されている。アクリル板９３の内側には、図示しない大きなポスターが設けられており、アクリル板９３を介して視認できるようになっている。このポスターは、図示しない両面テープによって、メインドア９２の背面９２ａに貼り付けられたり、または、この背面９２ａに設けられた図示しない取付枠に上方から差し込まれたりすることによって、メインドア９２に取り付けられている。また、ドアベース９４が、メインドア９２の背面９２ａ側に開閉可能に取り付けられており、ドアベース９４の背面には、図示しないコインメカニズムや電気回路などが取り付けられている。このドアベース９４は、メインドア９２の背面９２ａに大きなポスターを取り付けたことによって、この背面９２ａに取り付け不可能になったコインメカニズムや電気回路などの取付場所を確保するために設けられている。
【０００３】
このディスプレイ装置９０において、メンテナンス時などにポスターを交換する場合には、図１４に示すように、まず、メインドア９２を矢印Ｇで示す方向に開く。さらに、ドアベース９４をメインドア９２に対して矢印Ｈで示す方向に開くことにより、メインドア９２の背面９２ａを、ポスターの交換作業を行えるように開放する。次に、古いポスターを背面９２ａから取り外した後、交換用の新しいポスターを背面９２ａに取り付ける。この後、ドアベース９４を閉じ、さらにメインドア９２を閉じることにより、作業を終了する。
【０００４】
【発明が解決しようとする課題】
上記従来のディスプレイ装置９０によれば、ポスターの交換作業時に、メインドア９２およびドアベース９４を開かなければならず、この作業は、ユーザーにとって、手間暇がかかり、煩わしいものになっている。また、ポスターを取り付けるための大きなスペースをメインドア３に確保した関係上、コインメカニズムなどを取り付けるために、メインドア９２とは別個にドアベース９４を付加しなければならず、製造コストの上昇を招いている。
【０００５】
このため、ドアベース９４などを不要にする方法として、ポスターをメインドア９２の前面に接着剤で貼り付け、ポスター交換時には、これを剥がすようにすることが考えられる。しかし、この方法では、自動販売機を屋外に設置した場合に、ポスターが、降雨などにより破損したり、汚れたりしてしまうという問題がある。また、屋内に設置した場合でも、イタズラなどによる盗難などのおそれがある。
【０００６】
本発明は、上記課題を解決するためになされたもので、ディスプレイを容易に交換でき、製造コストを削減することができ、かつディスプレイの汚損や盗難を防止できる自動販売機のディスプレイ装置を提供することを目的とする。
【０００７】
【課題を解決するための手段】
請求項１の自動販売機のディスプレイ装置は、自動販売機の前面を開閉する前面扉に設けられる自動販売機のディスプレイ装置であって、前面扉の前面に沿って設けられ、開口を有する取付枠と、この取付枠の開口を塞ぐ透明なカバーと、このカバーと前面扉の間に着脱自在に設けられたディスプレイと、を備え、取付枠は、開口を間にして互いに平行に形成された２つの溝と、これらの２つの溝の両端の間に延びるように形成され、当該取付枠の端部に開口するスリットと、を有し、カバーは、２つの溝に沿ってそれぞれスライド可能で、かつスリットから引出し自在に設けられ、取付枠の開口を開閉可能なカバー板であることを特徴とする。
【０００８】
この自動販売機のディスプレイ装置によれば、カバーが前面扉の前面に沿って設けられた取付枠の開口を塞いでおり、このカバーと前面扉の間にディスプレイが着脱自在に設けられているので、前面扉を開けることなく、閉じたままでディスプレイを交換することができ、その交換作業が容易になる。さらに、ディスプレイを交換する際、カバーとしてのカバー板を２つの溝に沿ってスライドさせ、スリットを介して取付枠の外側に引き出すことによって、取付枠の開口が開かれ、ディスプレイを交換することができる。このように、カバー板をスライドさせることにより、ディスプレイを交換することができ、その交換作業がさらに容易になる。また、自動販売機が屋外に設置されている場合でも、カバーは、ディスプレイよりも前方に位置し、開口を塞いでいるので、降雨などによるディスプレイの汚損を防止することができる。さらに、ディスプレイ装置を前面扉の前面に設けたので、従来と異なり、前面扉の背面にドアベースを設ける必要がなくなることによって、製造コストを削減することができる。同様の理由により、前面扉の背面にコインメカニズムなどを配置することが可能になり、前面扉を設計する際の自由度が向上する。また、取付枠、ディスプレイおよびカバー板という比較的、単純な部品により、ディスプレイ装置を構成することができ、ディスプレイ装置の製造コストをさらに削減することができる。
【００１１】
また、上記において、取付枠は、矩形で上下２つの横枠部と左右２つの縦枠部を有し、２つの溝は、上下２つの横枠部にそれぞれ形成され、スリットは、左右２つの縦枠部の一方に設けられており、カバー板には、スリットから引き出す側と反対側の端部に、一方の縦枠部により係止されるストッパが設けられていることが好ましい。
【００１２】
この自動販売機のディスプレイ装置によれば、カバー板をスリット側にスライドさせ、取付枠の開口を開いた場合に、カバー板のストッパが一方の縦枠部により係止される。これにより、ディスプレイの交換時に、カバー板を手で保持しなくても、開口を開いた状態に保持でき、ディスプレイの交換作業がより一層、容易になる。また、イタズラなどによりカバー板が引き出された場合でも、カバー板が取付枠から外れないので、カバー板の盗難を防止できる。
【００１３】
さらに、上記において、前面にディスプレイが取り付けられた平板部とこの平板部の上端から前方に折り返した折返部とを有するパネルをさらに備えており、このパネルは、一方の縦枠部から他方の縦枠部まで前面扉の前面に沿って延び、パネルの折返部は、カバー板の上端部を平板部との間に挟み込むように、上側の横枠部の溝内に配置されていることが好ましい。
【００１４】
この自動販売機のディスプレイ装置によれば、カバー板が取付枠の開口を閉じている場合に、パネルの折返部が、カバー板の上端部を平板部との間に挟み込んでいることにより、ディスプレイは、カバー板とパネルにより上方向と前後方向を覆われる。これにより、例えば、雨水が前面扉を伝ってディスプレイの上方から流れ落ちてきた場合でも、ディスプレイが濡れることを確実に防止でき、雨水によるディスプレイの汚損を確実に防止できる。
【００１５】
また、上記において、カバー板を、開口を閉じた閉位置に固定するロック機構をさらに備えることが好ましい。
【００１６】
この自動販売機のディスプレイ装置によれば、ロック機構とカバー板によって、ディスプレイを外部から遮断された状態に保持することができ、イタズラなどによるディスプレイの汚損や盗難などを確実に防止できる。
【００１７】
さらに上記において、ロック機構は、前面扉の閉操作に連動してカバー板を閉位置に固定することが好ましい。
【００１８】
この自動販売機のディスプレイ装置によれば、前面扉を閉じる操作に伴って、自動的にカバー板を閉位置に固定することができ、これとは別にカバー板のロック操作を行う必要がないので、カバー板のロック操作を忘れる心配がなくなり、かつロック操作自体も容易になる。
【００１９】
【発明の実施の形態】
以下、添付図面を参照しながら、本発明の一実施形態に係る自動販売機のディスプレイ装置について説明する。図１は、本発明のディスプレイ装置１を備えた自動販売機２の外観を示している。同図に示すように、自動販売機２は、販売機本体２０の前面を開閉するメインドア（前面扉）３を有しており、このメインドア３の前面下部には、ディスプレイ装置１が設けられている。このディスプレイ装置１は、販売商品に関連する情報を表示するディスプレイとしてのポスターなどを外部から視認可能に取り付けるためのものであり、図１および図２に示すように、メインドア３の前面に固定された取付枠４を備えている。
【００２０】
取付枠４は、図２に示すように、正面から見て矩形の合成樹脂製（例えば、ポリプロピレン製）のものであり、上下２つの横枠部４０，４１および左右２つの縦枠部４２，４３とを備え、これらの各枠部４０〜４３に囲まれた空間が、開口４４になっている。図３に示すように、上横枠部４０は中空で、上壁４０ａと、この上壁４０ａの前端から下方に延びた底壁４０ｂと、底壁４０ｂの下端から後方に延びた下壁４０ｃとを備えており、上壁４０ａの後端は、メインドア３の前面に固定されている。底壁４０ｂの背面には、後方に突出する２つのリブ４０ｄ，４０ｅが形成されており、リブ４０ｄは、リブ４０ｅよりも長い奥行長さを有している。これらのリブ４０ｄ，４０ｅはそれぞれ、上横枠部４０の内部空間を左右方向に延びている。下壁４０ｃは、上壁４０ａよりも短い奥行長さを有しており、メインドア３との間に所定寸法の空間を形成している。これにより、上横枠部４０の内部には、メインドア３と、上記リブ４０ｄ，４０ｅおよび下壁４０ｃとの間に、下方に向かって幅が一旦、広くなってから狭くなる形状の横溝４５が形成されており、この横溝４５は、左右方向に延びている。
【００２１】
また、下横枠部４１は中空で、上記上横枠部４０とほぼ対称の形状を有しており、上壁４１ａと、この上壁４１ａの前端から下方に延びた底壁４１ｂと、底壁４１ｂの下端から後方に延びた下壁４１ｃとを備えており、下壁４１ｃの後端は、メインドア３の前面に固定されている。底壁４１ｂの背面には、後方に突出する２つのリブ４１ｄ，４１ｅが形成されており、リブ４１ｄは、リブ４１ｅよりも長い奥行長さを有している。これらのリブ４１ｄ，４１ｅはそれぞれ、下横枠部４１の内部空間を左右方向に延びている。上壁４１ａは、下壁４１ｃより短い奥行長さを有しており、メインドア３との間に所定寸法の空間を形成している。これにより、下横枠部４１の内部には、メインドア３と、上記リブ４１ｄ，４１ｅおよび上壁４１ａとの間に、上方に向かって幅が一旦、広くなってから狭くなる形状の横溝４６が形成されており、この横溝４６は、左右方向に延びている。この横溝４５と上記横溝４６は、左縦枠部４２内から右縦枠部４３内まで左右方向に互いに平行に延びている。また、下横枠部４１には、複数のリブ４１ｆ（１個のみ図示）がリブ４１ｄ，４１ｅとそれぞれ直交するように形成されている。このリブ４１ｆの後端部は、切り欠かれており、この切欠き部に後述するカバー板５の下端が当接するようになっている。また、下壁４１ｃには、横溝４６内に侵入した雨水を排出するための図示しない水抜き孔が形成されている。
【００２２】
図２および図４に示すように、右縦枠部４３内には、メインドア３との間に、スリット４７が２つの横溝４５，４６の間に延びるように形成されており、このスリット４７は、右縦枠部４３の右端部に開口している。また、右縦枠部４３内には、断面コの字形の金具８が配置されており、この金具８は、上下方向に延び（図９および図１０参照）、その底壁とメインドア３との間に、スリット４７を形成している。一方、図４に示すように、左縦枠部４２内には、２つの横溝４５，４６の間に上下方向に延びる縦溝４８が形成されており、この縦溝４８は、左方向に向かってメインドア３との間隔が漸減する形状を有している。
【００２３】
図３乃至図５に示すように、ディスプレイ装置１には、取付枠４の内部には、カバー板５およびパネル６が設けられており、カバー板５およびパネル６は、上記横溝４５，４６内に配置されると共に、これらの間を延びている。パネル６は、メインドア３に接着された金属製（例えば鋼製）の板であり、平板部６０と、平板部６０の上端から手前側に折り返された折返部６１と、を備えている（図８参照）。平板部６０の前面には、図示しない両面テープを介してポスター（ディスプレイ）７が着脱自在に貼り付けられている。図４に示すように、平板部６０の左端部は、メインドア３の前面に取り付けられたスペーサ６２により、前方に少し押し出されており、それにより、カバー板５の左端部との密着性が高められている。
【００２４】
カバー板５は、透明な合成樹脂製（例えば、ポリカーボネート製）の薄板であり、図６に示すように取付枠４の開口４４を開閉できると共に、開口４４を閉じたときには、ポスター７の前面を覆うようになっている。図５に示すように、カバー板５は、平板部５０と、平板部５０の右端から背面側に折り返された折返部５１と、平板部５０の左端部の上下端から折り返され、前方にそれぞれ突出する２つのストッパ５２，５２と、を備えている。図３に示すように、カバー板５は、その下端がリブ４１ｆの切欠き部に支持され、上端がパネル６の平板部６０と折返部６１の間に挟み込まれている。折返部５１の先端と平板部５０の間の距離は、図４に示すように、スリット４７の幅とほぼ同一寸法に設定されており、スリット４７内を左右方向に移動可能になっている。
【００２５】
ストッパ５２，５２はそれぞれ、リブ４０ｅと下壁４０ｃの間の空間、および上壁４１ａとリブ４１ｅの間の空間に配置され、カバー板５が左右方向に移動する際、これらの空間内を左右方向に移動する。これにより、カバー板５は、横溝４５，４６に沿いスリット４７を通って、図６（ａ）に示す閉位置から図６（ｂ）に示す開位置までスライド可能であり、スリット４７を介して右方向に引き出すことができるようになっている。また、カバー板５を開位置に引き出した場合、図７に示すように、各ストッパ５２が金具８の左側壁に係止され、カバー板５が右縦枠部４３から抜けないようになっている。
【００２６】
図３に示すように、パネル６の前面の下端部には、スペーサ９が設けられており、スペーサ９は、パネル６とカバー板５とが、それらの下端部において互いに密着するのを防止している。また、左縦枠部４２の縦溝４８では、メインドア３との間の間隔が左方向に向かって漸減していることにより、カバー板５が閉位置にある場合、図４に示すように、カバー板５の左端部は、パネル６の左端部と当接している。この場合、上述したように、パネル６の左端部が、スペーサ６２により前方に少し押し出されていることにより、カバー板５およびパネル６のそれぞれの左端部は、互いにしっかりと密着すると共に、カバー板５は、左右方向にずれたりしないように取付枠４内に係止される。
【００２７】
また、ディスプレイ装置１は、図６、図８および図９に示すように、カバー板５を上記閉位置に固定するためのロック機構１０を備えている。ロック機構１０は、右縦枠部４３に沿った状態で右縦枠部４３の背面側に配置されている。ロック機構１０は、図８乃至図１２に示すように、縦長のロック板１１と、このロック板１１をスライド可能に保持するベース１２と、ロック板１１の背面に取り付けられたクッション１３と、を備えている。ロック機構１０の各構成部品は、クッション１３を除いて全て金属板（例えば、鋼板）で製作されており、クッション１３は、弾性を有する合成ゴムで製作されている。ベース１２は、図示しないステーを介してメインドア３に固定されており、このベース１２には、保持板１４が取り付けられている。図１２に示すように、保持板１４の中央部には、上方から見てクランク状に折れ曲がったクランク部１４ａが形成されており、後端部には、左方向に突出するように折れ曲がった屈曲部１４ｂが形成されている。屈曲部１４ｂは、弾性を有し、左右方向に弾性変形可能になっている。
【００２８】
ロック板１１は、ベース１２により、図１０に示す解除位置と図１１に示すロック位置との間で前後方向にスライド可能に保持されており、中央部に３つの矩形の開口１１ａ，１１ｂ，１１ｃを有している。保持板１４は、開口１１ｃを通り抜けてロック板１１の左右両側に位置し、前後方向に延びている。保持板１４は、ロック板１１が解除位置にあるとき、屈曲部１４ｂが開口１１ｂに嵌合すると共に、クランク部１４ａが開口１１ｃの前縁に係止される。また、ロック板１１がロック位置にあるとき、屈曲部１４ｂは、開口１１ａに嵌合すると共に、クランク部１４ａが開口１１ｃの後縁に係止される。これにより、ロック板１１は、保持板１４により解除位置とロック位置の間でのみスライドするように規制され、かつそれぞれの位置でロックされる。
【００２９】
また、ロック板１１の前縁の上下端部にはそれぞれ、前方に突出する２つの突起１１ｄ，１１ｄが形成されており、図１０および図１１に示すように、メインドア３および金具８には、各突起１１ｄに臨む位置に開口３０，８０がそれぞれ形成されている。図１１に示すように、カバー板５が閉位置にあり、かつロック板１１がロック位置にある場合には、各突起１１ｄが開口８０の位置まで突出している。これにより、カバー板５を取付枠４のスリット４７から引き出そうとした際、カバー板５が各突起１１ｄに当接し、引き出せなくなる（以下、ロック状態という）。また、図１０に示すように、ロック板１１が解除位置にある場合には、各突起１１ｄが開口３０の位置まで退避しており、カバー板５をスリット４から引き出すことができる（以下、解除状態という）。このようにロック機構１０は、ロック板１１を前後方向にスライドさせることにより、カバー板５をロックまたは解除する。
【００３０】
一方、ロック機構１０では、図８および図９に示すように、メインドア３を閉じる際に、ロック機構１０が解除状態にあれば、クッション１３が断熱ドア２１と当接するようになっている。このため、カバー板５が閉位置にある状態で、メインドア３を閉じれば、ロック板１１がクッション１３により前方に押され、解除位置からロック位置まで移動し、ロック機構１０がロック状態になる。このように、メインドア３を閉じる動作に伴って、ロック機構１０が自動的にロック状態になり、カバー板５が閉位置に固定され、スリット４７から引き出せなくなる。
【００３１】
以上のように構成されたディスプレイ装置１において、ポスター７を交換する場合の動作について説明する。上述したように、ディスプレイ装置１では、メインドア３が閉じているときに、カバー板５がロック機構１０により閉位置に固定されているので、まず、メインドア３を開き、ロック装置１０のロック板１１をロック位置から解除位置まで移動させることによって、ロック機構１０を解除する。これにより、図６（ｂ）に示すように、カバー板５をスリット４７を介して右方向に引き出し、開口４４を開くことができる。カバー板５は、開位置まで引き出された場合に、図７に示すように、そのストッパ５２が縦枠部４３内の金具８に係止されることより、取付枠４から抜けることなく開位置に保持される。次に、古いポスター７をパネル６の平板部６０から剥がし、新しいポスター７を両面テープを介して平板部６０に貼り付けた後、図６（ａ）に示すように、カバー板５を閉じる。この後、メインドア３を閉じることにより、これに伴って、ロック機構１０が自動的にロック状態になり、カバー板５が閉位置に固定される。
【００３２】
以上、詳述したように、本発明の自動販売機のディスプレイ装置１では、装置自体がメインドア３の前面に取り付けられているので、従来のディスプレイ装置とは異なり、高価なドアベースが不要になることによって、製造コストを削減することができる。また、ディスプレイ装置１を取付枠４、カバー板５およびパネル６という比較的簡単な部品により構成することができるので、製造コストをさらに削減することができる。さらに、メインドア３の背面側にディスプレイ装置やドアベースを設ける必要がなくなるので、メインドア３の設計時の自由度が向上する。また、カバー板５を左右方向にスライドさせるだけで取付枠４の開口４４を開閉でき、かつカバー板５を開いた状態で保持できるので、ポスター７の交換作業が容易になる。さらに、ロック機構１０により、カバー板５がロックされることにより、ポスター７が外部から遮断され、イタズラによる盗難や汚損を確実に防止できる。また、メインドア３を閉じる操作に伴って、カバー板５を自動的に閉位置にロック（固定）することができ、これとは別にロック操作を行う必要がないので、カバー板５のロック操作を忘れる心配がなくなり、かつロック操作自体も容易になる。
【００３３】
次に、自動販売機２が屋外に設置されていて、雨が降った場合のディスプレイ装置１による防水機能について説明する。上記のように構成されたディスプレイ装置１では、通常、カバー板５は、取付枠４の開口４４を閉じる閉位置にあり、図３に示すように、カバー板５の上端部は、パネル６の折返部６１と平板部６０の間に挟まれた状態にある。このため、取付枠４の上横枠部４０がメインドア３に取り付けられている箇所から横溝４５内に侵入した雨水は、折返部６１の前面および平板部６０の背面に分かれて流れ落ち、平板部６０の前面には、到達しない。また、図３に示すように、カバー板５の下端部とパネル６の下端部は、スペーサ９により、密着しないようになっている。これにより、降雨量が多く、カバー板５と下横枠部４１の隙間やスリット４７から横溝４６内に侵入した雨水が、水抜き孔からうまく排水されずに溜まった場合でも、カバー板５とパネル６の間を毛細管現象のように上昇することはない。
【００３４】
また、図４に示すように、カバー板５は、その右端部に折返部５１を有しているので、スリット４７を介して右方向から侵入した雨水は、折返部５１の表面を流れ落ち、パネル６まで到達しない。さらに、図４に示すように、左縦枠部４２内の縦溝４８は、左方向に向かって隙間が漸減しており、かつ平板部６０がスペーサ６２により前方に少し押し出されていることにより、カバー板５の左端部と平板部６０の左端部は、互いにしっかりと密着している。これにより、カバー板５の前面と左縦枠部４２との隙間から侵入した雨水は、カバー板５の前面を流れ落ち、カバー板５の左端部から回り込んで、パネル６の前面まで到達することがない。
【００３５】
以上のように、本発明のディスプレイ装置１では、自動販売機２が屋外に設置された場合でも、パネル６の前面に貼り付けられたポスター７が降雨により濡れることがなく、しっかりと防水することができる。これにより、降雨によるポスターの汚損を防止することができる。
【００３６】
なお、上記実施形態においては、自動販売機２にロック機構１０を設け、メインドア３が閉じられている場合には、カバー板５が自動的に閉位置に固定される構成としたが、自動販売機２をイタズラなどのおそれがない安全な場所に設置した場合には、ロック機構１０自体や、ロック機構１０のクッション１３を省略してもよい。このようにすれば、メインドア３を開かなくてもカバー板５を開け、ポスター７を交換することができ、その交換作業がさらに容易になる。この場合、万が一、カバー板５がイタズラにより開けられたときでも、カバー板５は、ストッパ５２が右縦枠部４３に当接し、取付枠４から外れることがないので、盗難に遭うことはない。
【００３７】
また、上記実施形態においては、パネル６にポスター７に貼り付けるようにしたが、パネル６を省略して、メインドア３の前面に直接、ポスター７を貼り付けるようにしてもよい。さらに、ディスプレイ装置１に表示するディスプレイは、ポスターに限らず、看板や板状のものなど、商品に関連する情報を表示するものであればよい。また、カバー板５を右方向に引き出す構成としたが、これに限らず、左方向や上下方向に引き出す構成としてもよいし、カバー板５は、ディスプレイを交換できるように、取付枠４の開口４４を開閉する構成であればよい。さらに、カバー板５が取付枠４に固定されており、取付枠４自体がメインドア３に対して開閉自在であり、取付枠４を開けることにより、ポスター７を交換する構成としてもよい。
【００３８】
【発明の効果】
以上のように、本発明の自動販売機のディスプレイ装置によれば、ディスプレイの交換作業が容易になる。また、ディスプレイ装置の製造コストを削減することができる。さらに、イタズラや降雨などによるディスプレイの汚損を確実に防止することができる。また、前面扉を設計する際の自由度が向上する。
【図面の簡単な説明】
【図１】本発明の一実施形態に係るディスプレイ装置を備えた自動販売機の（ａ）正面図および（ｂ）側面図である。
【図２】ディスプレイ装置の（ａ）正面図および（ｂ）側面図である。
【図３】図２のＡ−Ａ矢視図である。
【図４】図２のＢ−Ｂ矢視図である。
【図５】カバー板、ポスターおよびパネルの構成を示す斜視図である。
【図６】カバー板を取付枠に収めた状態（ａ）と、カバー板を取付枠から引き出した状態（ｂ）をそれぞれ示す透視図である。
【図７】図６のＣ−Ｃ矢視図である。
【図８】自動販売機のメインドアを開き、ロック機構を示した斜視図である。
【図９】メインドアが閉まる際のロック機構を示す側断面図である。
【図１０】解除状態のロック機構を示す（ａ）側断面図と、要部を拡大した（ｂ）斜視図である。
【図１１】ロック状態のロック機構を示す（ａ）側断面図と、要部を拡大した（ｂ）斜視図である。
【図１２】図１０のＤ−Ｄ矢視図である。
【図１３】従来のディスプレイ装置を備えた自動販売機の正面図である。
【図１４】従来の自動販売機のメインドアおよびドアベースを開いた状態を示す斜視図である。
【符号の説明】
１    ディスプレイ装置
２    自動販売機
３    メインドア（前面扉）
４    取付枠
４０    上横枠部
４１    下横枠部
４２    左縦枠部
４３    右縦枠部
４４    開口
４５    横溝（溝）
４６    横溝（溝）
４７    スリット
５    カバー板（カバー）
５２    ストッパ
６    パネル
６０    平板部
６１    折返部
１０    ロック機構
【図１】
0003539154.tif 000002
【図２】
0003539154.tif 000003
【図３】
0003539154.tif 000004
【図４】
0003539154.tif 000005
【図５】
0003539154.tif 000006
【図６】
0003539154.tif 000007
【図７】
0003539154.tif 000008
【図８】
0003539154.tif 000009
【図９】
0003539154.tif 000010
【図１０】
0003539154.tif 000011
【図１１】
0003539154.tif 000012
【図１２】
0003539154.tif 000013
【図１３】
0003539154.tif 000014
【図１４】
0003539154.tif 000015